(57)【要約】【課題】拭取りブラシと清掃パッドとを有する手持ち式の拭取り装置を提供する。【解決手段】互いに反対側の上端部及び下端部を有する細長いハンドルと、上部と、底部と、前側と、後側と、互いに反対側の第１の側及び第２の側とを備えた拭取りヘッドとが設けられており、前記前側と、前記後側と、前記互いに反対側の第１の側及び第２の側とが、拭取りヘッドの外縁を規定しており、さらに、第１の方向に回転するように拭取りヘッドに取り付けられた、毛が取り付けられたローラと、拭取りヘッドを細長いハンドルの底部に結合するための取付け手段と、前側ローラによって拭き取られたごみを受容するためのごみ受容手段と、ローラによってごみ受容手段に送り込まれない埃の粒子及びごみを捕らえて保持するための、ローラと外縁との間において拭取りヘッドの底部に取り付けられたクロスとが設けられている。【選択図】図１
0003162930.tif 000002
【実用新案登録請求の範囲】
【請求項１】
床拭取り装置において、
互いに反対側の上端部及び下端部を有する細長いハンドルと、
上部と、底部と、前側と、後側と、互いに反対側の第１の側及び第２の側とを備えた拭取りヘッドとが設けられており、前記前側と、前記後側と、前記互いに反対側の第１の側及び第２の側とが、拭取りヘッドの外縁を規定しており、
第１の方向に回転するように拭取りヘッドに取り付けられた、毛が取り付けられた前側ローラが設けられており、
拭取りヘッドを細長いハンドルの底部に結合するための取付け手段が設けられており、
前側ローラによって拭き取られたごみを受容するためのごみ受容手段が設けられており、
前側ローラによってごみ受容手段に送り込まれない埃の粒子及びごみを捕らえて保持するための、前側ローラと外縁との間において拭取りヘッドの底部に取り付けられたクロスが設けられていることを特徴とする、床拭取り装置。
【請求項２】
前記ごみ受容手段と前記前側ローラとに流体連通した通気口が拭取りヘッドに設けられている、請求項１記載の床拭取り装置。
【請求項３】
前記ごみ受容手段が、取外し可能なごみ受容トレーを含む、請求項１記載の床拭取り装置。
【請求項４】
拭取りヘッドの底部に平坦な取付け面が設けられており、該取付け面にクロスが取り付けられている、請求項１記載の床拭取り装置。
【請求項５】
ごみを前側ローラに向かって案内するための、拭取りヘッドに取り付けられたガイドが設けられている、請求項１記載の床拭取り装置。
【請求項６】
ガイドによって衝突される物品を損傷から保護するために、ガイドに取り付けられたパッドが設けられている、請求項５記載の床拭取り装置。
【請求項７】
取付け手段が、細長いハンドルの下端部を拭取りヘッドに取り付けるための回動可能な取付け手段を含む、請求項１記載の床拭取り装置。
【請求項８】
クロスを取り外しかつ交換するために、クロスを拭取りヘッドの底部に取り付けるための解放可能な取付け手段が設けられている、請求項１記載の床拭取り装置。
【考案の詳細な説明】
【技術分野】
【０００１】
本考案は、手持ち式の床拭取り装置、特に、電気モータによって作動される拭取りブラシと、汚れや埃を捕らえるための柔軟なクリーニングパッドとを有する手持ち式の床拭取り装置に関する。本考案による拭取り装置は、特に、木製、セラミックタイル及び大理石等の硬い床面を清掃するのに特に適している。
【背景技術】
【０００２】
木製又はタイルの床のような硬い表面から埃や小さなごみを拭き取るために、従来、手持ち式の拭取り装置が使用されている。従来広く一般に使用されている手持ち式の床拭取り装置の１つのタイプは、モータによって作動されない手押し式の床拭取り装置である。手持ち式の拭取り装置は、清掃したい面に接触する、拭取りヘッドに配置された軸に取り付けられたブラシを有している。拭取り装置が床面に沿って押したり引いたりされると、ブラシが回転する。ブラシが回転すると、ブラシは、ばらけた物質を、拭取りヘッド内の埃キャニスタ又は同様の埃収容部分に取り込む。このタイプの床拭取り装置の問題は、拭取り装置が前後の移動だけを行うように設計されているため、使用者が拭き取り装置を床に沿って押したり引いたりするときに、前後方向でのみ材料を取り込むということである。拭取り装置ヘッドは、左右の移動のためにハンドルを中心にして回転せず、また、キャビネットや家具の下のような低い対象物の下を清掃するために容易に方向転換することができない。
【０００３】
このタイプの拭取り装置によって解決されていない別の問題は、床から極めて小さな埃の粒子を除去するクロス部分を有していないということである。埃は、床面に積もっているか、又は拭取り装置が別の位置へ移動させられた後、空気中を漂って再び床面に積もる。
【０００４】
電動式のブラシを有する別の拭取り装置も開発された。これらの拭取り装置のほとんどは、汚れを埃トレー内へ取り込むために拭取りヘッドを中心にして取り付けられた複数のブラシを使用していた。しかしながら、これらの拭取り装置は、ブラシによって埃トレー内へ取り込まれない、硬い表面における小さな埃の粒子を捕捉及び保持するという問題を解決していない。
【０００５】
ここに開示された考案は、極めて軽く、極めて低い高さの拭取りヘッドを有する床拭取り装置である。しかしながら、従来技術の拭取り装置とは異なり、本考案の拭取り装置は、拭取りヘッドの前方下側に取り付けられたブラシと、ブラシの背後に取り付けられた埃パッドとを有している。床拭取りヘッドは、ユニバーサルピボット又はユニバーサルジョイントによって細長いハンドルに取り付けられている。これにより、床拭取りヘッドは、張り出したキャビネット又は家具の下のばらけた物質を容易に捕らえるためにハンドルを中心にしてあらゆる方向に容易に回動することができる。ブラシは小さな電気モータによって回転させられる。モータはブラシを駆動し、汚れを拭取りヘッド内の埃受容トレーへ送り込む。拭取りヘッドの上部には通気口も設けられており、これらの通気口は埃トレーと連通している。このことは、回転するブラシによって埃トレーに追い込まれた空気に出口通路を提供する。通気口が設けられていないと、埃トレーに捕捉された空気は、汚れ及びごみが埃トレー内に取り込まれるのを邪魔する。これにより、埃やごみが、集塵トレー内に取り込まれないで、ブラシの前方においてかき回されるだけになってしまう。
【０００６】
清掃したい面に接触し、小さな埃の粒子を取り上げかつ捕捉する、拭取りヘッドの基部における清掃パッドも設けられている。清掃パッド若しくは埃パッドは取外し可能であり、洗浄されるか、又は廃棄されて新たなパッドと交換されることができる。
【考案の概要】
【考案が解決しようとする課題】
【０００７】
本考案の目的は、拭取りヘッドの少なくとも１つの縁部に沿った拭取りブラシと、埃を捕らえるための清掃パッドとを有する、手持ち式の拭取り装置を提供することである。関連する目的は、洗浄及び交換のために容易に取外し可能な清掃パッドを有する手持ち式の拭取り装置を提供することである。
【０００８】
別の目的は、ブラシ及び清掃パッドを備えた拭取りヘッドを有する手持ち式の拭取り装置を提供することであり、拭取りヘッドが床においてあらゆる水平方向に移動させられることができるように、拭取りヘッドはユニバーサルピボット結合によってハンドルに取り付けられている。
【課題を解決するための手段】
【０００９】
前記課題は、本考案による、互いに反対側の上端部及び下端部を有する細長いハンドルと、上部と、底部と、前側と、後側と、互いに反対側の第１の側及び第２の側とを備えた拭取りヘッドとが設けられており、前記前側と、後側と、互いに反対側の第１の側及び第２の側とが、拭取りヘッドの外縁を規定しており、第１の方向に回転するように拭取りヘッドに取り付けられた、毛が取り付けられたローラが設けられており、拭取りヘッドを細長いハンドルの底部に結合するための取付け手段が設けられており、前側ローラによって拭き取られたちりを受容するためのちり受容手段が設けられており、ローラによってちり受容手段に送り込まれないほこり粒子及びちりを捕らえて保持するための、ローラと外縁との間において、拭取りヘッドの底部に取り付けられたクロスが設けられていることを特徴とする、床拭取り装置により解決された。
【図面の簡単な説明】
【００１０】
【図１】クロス清掃パッドを備えた手持ち式の清掃装置を示す前方斜視図である。
【図２】拭取りヘッドを示す上面図である。
【図３】拭取りヘッドの左側の側面図である。
【図４】拭取りヘッドの正面図である。
【図５】拭取りヘッドの底面図である。
【図６】拭取りヘッドの右側の側面図である。
【図７】拭取りヘッドの後面図である。
【考案を実施するための形態】
【００１１】
まず図１及び図２を参照すると、本考案の拭取り装置１０が開示されている。ユニバーサルピボット１６によって細長いハンドル１４に結合された拭取りヘッド１２が設けられている。ハンドル１４は、一連の互いに結合されたパイプ若しくは管から組み立てられている。ばね付勢されたピン又はロックが各管の一方の端部に配置されており、これらのピン又はロックは、次の隣接する管における収容孔に係止している。各管の一方の端部は、その上に連結される次の管の端部に収容されるためにより小さな直径を有しているので、収容する管は、挿入される管のより小さな直径を有する端部に滑り嵌められる。
【００１２】
ユニバーサルピボット１６は、ヘッド１２に取り付けられた１対のユニバーサルピボット支持体１８から成る。回転可能な球体２０が、ユニバーサルピボット支持体１８によって支持された軸に取り付けられている。ハンドル１４の底部に設けられたヨーク２２は、ユニバーサルピボット結合１６を形成するために慣用の形式で球体２０に回転可能に取り付けられている。機械的なピボット結合の技術の分野の当業者に明らかであるように、別の形式のユニバーサルピボット結合を使用することができる。拭取りヘッド１２とハンドル１４との間の結合箇所を中心にしてハンドル１４が自由に回動することが重要である。
【００１３】
ハンドル１４の上端部に掴み部分２４が設けられており、この掴み部分２４を使用者が持って、拭取り装置１０を押したり、引いたり、その他の形式で移動させる。ハンドル１４に設けられた電池ボックス２７には充電池２５が取り付けられている。充電池２５は、後でより詳しく説明するように、拭取りヘッド１２に電力を提供する。
【００１４】
図２は、拭取りヘッド１２の外側の設計も示している。拭取りヘッド１２は、矩形の上部２８と、短い側部３０及び３１と、長い側部３２及び３３とから成るハウジング２６を有している。上部２８の反対側には底部３４が設けられている。短い側部３１のうちの一方に沿って、引出し式汚れトレー３６が設けられている。汚れトレー３６は、側部３１から拭取りヘッド１２内へ、反対の側部３０に隣接した位置まで延びている。拭取りヘッド１２は矩形であるように示されているが、拭取りヘッドは、円形、三角形、又はその他の形状に形成されることもできる。
【００１５】
図２から図４までに示したように、拭取りヘッド１２の前側における長い側部３３に沿って、軸３８が位置しており、この軸３８を中心にしてブラシ４０が取り付けられている。ブラシ４０は、清掃したい床面に接触して床面からちりを拭き取るように設計された、半径方向に延びた毛４２によって形成されている。軸３８の両端部は軸受４４によって拭取りヘッド１２に取り付けられており、軸３８が自由に回転することができるようになっている。
【００１６】
拭取りヘッド１２は、前方滑走体４６を有しており、これらの前方滑走体は、下側に取り付けられた柔軟なクロス又は柔軟なブラシ４７を有しており、これにより、滑走体は、床を傷付けることなく床の上を容易に滑ることができる。前方滑走体は、拭取りヘッドの底部３４の、互いに反対の前側の角に配置されている。前方滑走体４６は、汚れを縁部からブラシ４０へ送るように、テーパされていてよい。拭取りヘッドは、清掃したい面に沿ってあらゆる水平方向で容易に移動させられることができ、前側に沿ったブラシの配置は、拭取り装置の移動を妨げず、又は拭取りヘッド１２の移動方向に拘わらず面からごみを拭き取る拭取りヘッド１２の能力を低下させない。択一的な構成において、滑走体４６は、床を傷つけることなく滑走体が床面を容易に移動することができるようにする、研磨されたプラスチック製のスライダである。滑走体は、側部３０，３１から延出したブラシ又は柔軟なクロス４９をも有していてよく、これにより、ブラシ又は柔軟なクロスは、拭取りヘッド１２が壁又は家具に接触した時に、隣接する壁５１又は家具を拭取りヘッド１２から保護する。これは、図９により明瞭に示されている。
【００１７】
引出し式の埃トレー３６がブラシ４０の後方に配置されており、軸３８が回転すると、ブラシがごみをトレー３６に送り込むようになっている。トレー３６を取り出すために、拭取りヘッド１２の上部２８に設けられた掴み凹所４８においてトレー３６の縁部を掴み、トレーを引き出すだけでよい。図５から図７までに示したように、トレー３６をヘッド１２から引き出すことにより、トレーを空にして、トレーを引き続き使用するために所定の位置へ容易に滑り戻すことができる。トレー３６は底部３４にガイド５３を有している。このガイドは、トレー３６の底部に設けられた相補的な溝５７に収容されている。
【００１８】
軸３８とブラシ４０は、モータハウジング５２に取り付けられた電気モータ５０によって回転させられる。このことは図３及び図４に明瞭に示されている。ピニオン５４はモータ５０の出力軸に取り付けられている。ハウジング１２の長い端部３３又は前側には、軸３８の一方の端部に取り付けられた歯車５６が設けられている。ピニオン５４と歯車５６には駆動ベルト５８が巻き付けられており、ピニオン５４と歯車５６とは駆動接続されている。モータが駆動ベルトを駆動すると、駆動ベルトは、同時に、歯車５６と、ブラシ４０を備えた軸３８とを駆動する。拭取りヘッド１２が何れの方向に移動させられるかに拘わらず、モータ５０はブラシを方向"Ａ"（図７に示されている）に回転させ、埃やばらけた物質は、拭取りヘッド１２に追い込まれ、トレー３６に収容される。
【００１９】
図１に示したように、電池ボックス２７はスイッチ２９を有している。スイッチ２９はモータ５０をオン又はオフさせる。電線５１がハンドル１４とユニバーサルピボット１６とを通過しており、モータ５０を電池２５に接続している。電池は電池ボックスから取外し可能であり、必要に応じて充電することができる。
【００２０】
拭取りヘッド１２の上部を見ると、上部２８を貫通した通気口５５を見ることができ、これらの通気口は、引出し式の埃トレー３６に連通している。これにより、回転するブラシ４０によってトレー３６内に追い込まれる空気のための出口通路が提供されている。通気口５５が設けられていないと、トレー３６に捕捉された空気は、汚れ及びごみがトレー３６内に取り込まれるのを邪魔する。その結果、汚れ及びごみは、トレー３６に取り込まれないで、ブラシ４０の前方においてかき回されるだけになる。
【００２１】
拭取りヘッド１２の底部３４には、埃を吸収する柔軟なクロスパッド６０が取り付けられている。パッド６０は、このパッド内に埃を保持するマイクロファイバ又はその他の柔軟なクロス材料であることができる。この出願で使用される場合には、クロスは、清掃目的のために使用されかつこの材料の繊維の内部又は間に埃、ごみ及び粒子を蓄積する全ての織られた又は織られていない材料を含むと定義される。クロスパッド６０は、ブラシ４０に隣接して底部３４に取り付けられており、ブラシ４０から、長い側部３２の後側縁部を超えて約２分の１インチ（１インチは２５．４ｍｍ）まで延びている。クロスパッド６０は、好適には、ヘッド１２の両側における短い側部３０，３１も約２分の１インチだけ超えて延びている。これにより、パッド６０は、拭取りヘッド１２と壁との間にクッションを形成することができる。パッド６０は、ベルクロ・フック・ループファスナ（登録商標）６１（図１０参照）、接着剤、クリップ、スナップ等の固定手段又はその他の周知の固定手段によって底部３４に固定されていることができる。パッド６０は好適には容易に取外し可能であり、パッドが汚れると、拭取りヘッド１２から取り外されて洗浄することができる。択一的に、パッド６０は、取り外され、廃棄され、新たなパッドと交換することができる。新たな交換用のパッド６０は、選択された固定手段によって底部３４に容易に取り付けられる。択一的な実施形態において、パッド６０は、パッド６０と底部３４との間に付加的なクッション若しくは吸収材料を提供するクッションパッドに取り付けられることができる。
【００２２】
ブラシ及び清掃パッド６０を含む拭取りヘッド１２の全高は、拭取り装置をキャビネット、椅子及び低い張出し部の下に差し込むことができるように、極めて低いプロフィルの拭取り装置として維持されている。ユニバーサルピボット１６により、拭取りヘッドは、狭い場所に届きやすくするためにあらゆる方向に容易に回転することができ、床の全面を清掃することができる。電池は、充電器に差し込むことによって充電される慣用の充電池であることができる。モータ及び電池は、通常の清掃作業を行うための十分な時間にわたってブラシに十分な電力を供給するように選択されている。全ての構成部材を、プラスチック又は金属から容易にかつ安価に製造することができる。取扱いを容易にするために、拭取り装置１０の重量を最小限に維持することができる。
【００２３】
より大きな粒子を汚れトレー３６に追い込むブラシ４０と、埃及びより小さな粒子を床から取り上げてこれらの埃及びより小さな粒子を保持するパッド６０との組み合わせは、新規で独特の組合せ清掃方式を提供する。パッドが汚れると、パッドは、容易に、洗浄及び再利用のために取り外されるか、又は廃棄可能なパッドが選択されている場合には交換されることができる。
【符号の説明】
【００２４】
１０  拭取り装置、  １２  拭取りヘッド、  １４  ハンドル、  １６  ユニバーサルピボット、  １８  ユニバーサルピボット支持体、  ２０  球体、  ２２  ヨーク、  ２４  掴み部分、  ２５  充電池、  ２８  上部、  ３０，３１  短い側部、  ３２，３３  長い側部、  ３４  底部、  ３６  トレー、  ３８  軸、  ４０  ブラシ、  ４２  毛、  ４４  軸受け、  ４６  前方滑走体、  ４７  ブラシ、  ４８  掴み凹所、  ４９  クロス、  ５０  モータ、  ５１  壁、  ５２  モータハウジング、  ５３  ガイド、  ５４  ピニオン、  ５５  通気口、  ５６  歯車、  ５８  駆動ベルト、  ６０  パッド
【図１】
0003162930.tif 000003
【図２】
0003162930.tif 000004
【図３】
0003162930.tif 000005
【図４】
0003162930.tif 000006
【図５】
0003162930.tif 000007
【図６】
0003162930.tif 000008
【図７】
0003162930.tif 000009
【手続補正書】
【提出日】平成22年8月5日(2010.8.5)
【手続補正１】
【補正対象書類名】図面
【補正対象項目名】全図
【補正方法】変更
【補正の内容】
【図１】
0003162930.tif 000010
【図２】
0003162930.tif 000011
【図３】
0003162930.tif 000012
【図４】
0003162930.tif 000013
【図５】
0003162930.tif 000014
【図６】
0003162930.tif 000015
【図７】
0003162930.tif 000016